(57)【要約】  【課題】転写対象物に転写した転写物が部分的に欠落した状態で転写される事を有効に回避しつつ、簡単且つ正確、確実に転写物を転写し得る転写具を提供する。  【解決手段】本発明に係る転写具Ａは、修正テープＴを旋回させて支持する旋回支持部１０を有する転写具本体１と転写ヘッド４とを有しているものであるが、特に、転写端４０ａを構成するヘッド本体４０とともに、転写端４０ａの幅方向に平行して延伸して、転写端４０ａへ修正テープＴを案内し得る平行支持端４４とを少なくとも具備していることを特徴とする。  【選択図】図６
2008162051.tif 000002
【特許請求の範囲】
【請求項１】
紙などの転写対象物に転写し得る転写物をテープの表面側に設けた転写テープを所定角度旋回させ得る旋回支持部を有する転写具本体と、
当該転写具本体に収容されたテープを表出させ先端側において前記転写物を転写対象物に転写し得る転写端を構成するヘッド本体を有する転写ヘッドと、
前記転写端の幅方向に平行して延伸し前記転写端へ前記転写テープを案内し得る平行支持端とを少なくとも具備していることを特徴とする転写具。
【請求項２】
前記平行支持端を、前記転写ヘッドに一体に設けたものとしている請求項１記載の転写具。
【請求項３】
前記転写ヘッドを、前記平行支持端から前記転写端に至るまでの前記転写テープの幅方向の移動を規制し得るガイド壁をさらに有するものとしている請求項１又は２記載の転写具。
【請求項４】
前記ガイド壁を前記ヘッド本体から垂直に起立するものとし、
前記転写ヘッドを、前記ヘッド本体並びに前記ガイド壁に連続し前記転写テープを当該ガイド壁を越えて幅方向に案内し得る傾斜案内面をさらに有するものとしている請求項１、２又は３記載の転写具。
【請求項５】
前記傾斜案内面の幅寸法を、前記転写端へ向かって漸次大きく設定するものとしている請求項４記載の転写具。
【請求項６】
前記傾斜案内面が前記ヘッド本体から起立する起立寸法を、前記転写ヘッドの幅方向両端へ向かって漸次大きく設定するものとしている請求項５記載の転写具。
【請求項７】
前記傾斜案内面を、凹状又は凸状に湾曲させた湾曲面としている請求項４、５又は６記載の転写具。
【請求項８】
前記ガイド壁を前記ヘッド本体から垂直に起立するものとし、
前記転写ヘッドを、前記転写テープの裏面側から前記ガイド壁に連続し前記転写テープの幅方向の移動を前記ガイド壁を越えて案内し得る助長面をさらに有するものとしている請求項１、２又は３記載の転写具。
【請求項９】
前記助長面が前記転写テープの裏面側を支持する寸法を、前記転写具本体側から前記転写端側に至るまで漸次大きく設定するものとしている請求項８記載の転写具。
【請求項１０】
前記助長面を、前記転写テープの裏面側を支持し前記転写端側を底辺とする平面視三角形状の迫出し縁を形成するものとしている請求項９記載の転写具。
【請求項１１】
前記助長面を、凹状又は凸状に湾曲させた湾曲面としている請求項８、９又は１０記載の転写具。
【請求項１２】
前記ガイド壁を、前記転写具本体から前記転写端に至るまで起立寸法を漸次低く形成している請求項４、５、６、７、８、９、１０又は１１記載の転写具。
【請求項１３】
前記ガイド壁を前記ヘッド本体から垂直に起立するものとし、
前記転写ヘッドを、前記ガイド壁の前記転写端側に位置する先端縁から前記転写端に至るまで前記転写テープの幅方向の移動を許容するスライド許容領域を設け、前記ガイド壁が前記転写テープの幅方向の移動を規制する規制寸法よりも大きく設定するものとしている請求項１、２又は３記載の転写具。
【請求項１４】
前記規制寸法を前記スライド許容寸法の５０％〜１０％に設定している請求項１３記載の転写具。
【請求項１５】
前記転写具本体を、前記転写端を通過した前記テープを収容し得るテープ収容部を有するものとし、
前記転写ヘッドを、前記転写端から前記転写具本体に至るまでの前記転写テープの幅方向の移動を規制し得る収容ガイド部を有するものとしている請求項１、２、３、４、５、６、７、８、１０、１１、１２、１３又は１４記載の転写具。
【請求項１６】
前記旋回支持部を、前記転写テープを９０°旋回させ得るものとしている請求項１、２、３、４、５、６、７、８、９、１０、１１、１２、１３、１４又は１５記載の転写具。
【請求項１７】
前記旋回支持部を、前記転写テープを所定角度旋回させたものとし、
前記平行支持端を、前記転写テープを屈曲させた状態で支持し得るものとしている請求項１、２、３、４、５、６、７、８、９、１０、１１、１２、１３、１４、１５又は１６記載の転写具。
【請求項１８】
前記転写テープを、前記テープの表面側に修正剤を設けた修正テープとしている請求項１、２、３、４、５、６、７、８、９、１０、１１、１２、１３、１４、１５、１６又は１７記載の転写具。
【発明の詳細な説明】
【技術分野】
【０００１】
本発明は、修正剤や粘着剤を紙等に好適に転写し得る転写具に関するものである。
【背景技術】
【０００２】
従来、例えば粘着剤や修正剤などの転写物を付着させた転写テープを巻回した状態で筐体内に内蔵し、転写ヘッドの位置で転写物を露出させ、その露出した部分を紙などの転写対象物に接した状態で、転写ヘッドを移動させることによって、転写物を好適に転写対象物へと転写し得る転写具が多数開発されている。
【０００３】
とくに転写物として修正剤を用いたものにおいて、巻回した状態から筐体内でテープを所定角度旋回させた状態として転写ヘッドに支持させている転写具が多く提案されている（例えば、特許文献１参照）。このようなものは、転写テープを旋回させる角度を略９０°に設定したものが多く、一般に横引き式と称されている。なお、テープを筐体内で旋回させずに転写ヘッドに支持させる転写具を縦引き式と称されており、これらは上述の横引き式とは区別されている。
【特許文献１】特開２００１−２７０２９２号公報
【発明の開示】
【発明が解決しようとする課題】
【０００４】
しかしながら、このような横引き式の転写具の場合においては、実際に転写テープが旋回した状態で転写ヘッドの先端部で転写物を転写する転写端まで案内されるものとなっている。このようなものの場合、転写テープは転写端に至る直前まで旋回された、換言すればねじられた状態となっている。
【０００５】
ここで図１４に、従来の転写具において、転写具本体に取り付けられている転写ヘッドＨを採用した場合を模式的に示す。斯かる転写ヘッドＨは、転写具本体１に取り付けられて転写テープの一例である修正テープＴを支持し、ヘッド本体Ｈ１０の転写端Ｈ１０ａにおいて修正剤ｓを転写するものである。同図は正常な転写方向から、手指等の動作によって転写端１０ａにおいて矢印αで示すように幅方向に修正テープが幅方向にずれて転写された場合を示している。このように転写テープＴが幅方向すなわち矢印αの方向に移動してヘッド本体Ｈ１０から起立する図示のガイド壁Ｈ１１や、図示しない転写具本体に干渉されることになる。そうなると、転写テープＴにおいて修正剤ｓを支持しているテープｔに上述の皺やねじれが生じてしまう。特に斯かる皺やねじれは、転写テープを更に旋回させる方向すなわちねじれを強める方向に作用力を作用させた場合に顕著に起こり得るものとなっている。その結果として、転写テープＴの何れかの端部が平面視一部欠落した状態を構成してしまうこととなる。そしてこのような場合、修正剤ｓは所望の箇所に正確に塗布されずに一部欠落した形状で塗布されてしまうため、使用者は再び転写具を慎重に取扱いながら転写作業をやり直すなどという余分な作業を強いられてしまう。さらに、このようなこととなった場合、具体的には、修正剤の場合は所望の箇所に塗布することができないため、再び転写具を慎重に取扱いながら転写するなどという余分な作業を招来してしまう。他方、転写物が粘着剤の場合は十分量の粘着剤が転写されず、転写対象物を確実に止着出来ないといったことが起こり得るものとなっている。
【０００６】
本発明は、このような不具合に着目したものであり、簡単且つ正確、確実に転写物を転写し得る転写具を提供する。
【課題を解決するための手段】
【０００７】
本発明は、このような目的を達成するために、次のような手段を講じたものである。すなわち、本発明に係る転写具は、紙などの転写対象物に転写し得る転写物をテープの表面側に設けた転写テープを所定角度旋回させ得る旋回支持部を有する転写具本体と、当該転写具本体に収容されたテープを表出させ先端側において前記転写物を転写対象物に転写し得る転写端を構成するヘッド本体を有する転写ヘッドと、前記転写端の幅方向に平行して延伸し前記転写端へ前記転写テープを案内し得る平行支持端とを少なくとも具備していることを特徴とするものである。
【０００８】
ここで、斯かる平行支持端は、転写具の構成要素の何れに形成したもの、或いは取り付けたものであってもよい。すなわち、転写ヘッドに設けた態様の他、転写具本体側に設けたものであっても、転写具本体並びに転写ヘッドとは別体の構成要素として設けたものであってもよい。
【０００９】
このようなものであれば、平行支持端から転写端に至るまで、転写テープを旋回させずに平面状に延伸させた状態で案内することができる。そうすることにより、転写時における使用者の手指或いは手首の動作により転写テープに対して幅方向の不要な作用力が働いた場合においても、平面状に延伸された転写テープは幅方向、すなわち幅方向に直交する方向に作用力を受ける事ができる。そのため、転写テープが折れ曲がるなどによって転写物の一部または全部を転写する事ができないという不具合を有効に排除し、簡便且つ正確な転写を実現し得るものとなる。
【００１０】
転写具を構成する構成要素の組み付け等に影響されることなく平行支持端と転写端の幅方向との平行状態を好適に保ち得るものとするためには、平行支持端を、転写ヘッドに一体に設けたものとすることが望ましい。
【００１１】
手指或いは手首の動作による転写テープの軽微な幅方向の移動を好適に抑制するためには、転写ヘッドを、平行支持端から転写端に至るまでの転写テープの幅方向の移動を規制し得るガイド壁をさらに有するものとすることが望ましい。
【００１２】
そして、上述のような軽微な幅方向の移動を超えるような作用力が転写テープに働く場合にも確実な転写を実現するためには、ガイド壁をヘッド本体から垂直に起立するものとし、転写ヘッドを、ヘッド本体並びにガイド壁に連続し転写テープを当該ガイド壁を越えて幅方向に案内し得る傾斜案内面をさらに有するものとすることが望ましい。この場合、傾斜案内面を有効に機能させ得る構成として、当該傾斜案内面の幅寸法を、転写端へ向かって漸次大きく設定する構成や、当該傾斜案内面がヘッド本体から起立する起立寸法を、転写ヘッドの幅方向両端へ向かって漸次大きく設定する構成を採用したものを挙げる事ができる。斯かる構成によれば、一定以上のずれや曲りが生じた場合にはテープを傾斜案内面へ一時的に案内することにより、転写物がずれた形で転写されたり、テープ自体に皺を生じた状態で転写したりといったことを、より有効に回避することができる。
【００１３】
さらに、斯かる傾斜案内面を、凹状又は凸状に湾曲させた湾曲面とすれば、よりスムーズに転写テープを案内することが可能である。
【００１４】
一方、上述のような軽微な幅方向の移動を超えるような作用力が転写テープに働く場合にも確実な転写を実現するための他の態様として、ガイド壁をヘッド本体から垂直に起立するものとし、転写ヘッドを、転写テープの裏面側からガイド壁に連続し転写テープの幅方向の移動をガイド壁を越えて案内し得る助長面をさらに有するものを挙げる事ができる。この場合助長面を有効に機能させ得る構成として、助長面が転写テープの裏面側を支持する寸法を、転写具本体側から転写端側に至るまで漸次大きく設定するものを挙げる事ができる。斯かる構成によれば、一定以上のずれや曲りが生じた場合にはテープを助長面へ一時的に案内することにより、転写物がずれた形で転写されたり、テープ自体に皺を生じた状態で転写したりといったことを、より有効に回避することができる。斯かる助長面の具体的な構成として、助長面を、転写テープの裏面側を支持し転写端側を底辺とする平面視三角形状の迫出し縁を形成するものとすることが好ましい。そして、斯かる助長面を、凹状又は凸状に湾曲させた湾曲面とすれば、よりスムーズに転写テープを案内することが可能である。
【００１５】
そして傾斜案内面及び助長面どちらを採用した場合においてもガイド壁を、転写具本体から転写端に至るまで起立寸法を漸次低く形成しているものとすれば、転写端に近接した位置において移動し易い構成として好適に転写テープを案内し得るともに、テープが幅方向へ大きくずれる場合においては転写ヘッドの基端側においてテープを有効にガイドし得るものとなる。
【００１６】
他方、上述のような軽微な幅方向の移動を超えるような作用力が転写テープに働く場合にも確実な転写を実現するためのさらなる態様として、ガイド壁をヘッド本体から垂直に起立するものとし、転写ヘッドを、ガイド壁の転写端側に位置する先端縁から転写端に至るまで転写テープの幅方向の移動を許容するスライド許容領域を設け、ガイド壁が転写テープの幅方向の移動を規制する規制寸法よりも大きく設定するものとしたものを挙げることができる。この場合、転写テープの幅方向へのスライド移動をより効果的に行わしめるためには、規制寸法をスライド許容寸法の５０％〜１０％に設定することが望ましい。
【００１７】
そして、転写具本体を、転写端を通過したテープを収容し得るテープ収容部を有するものとした場合、転写端を通過したテープを再び転写具本体へ正確に収容するための有効な構成として、転写ヘッドを、転写端から転写具本体に至るまでの転写テープの幅方向の移動を規制し得る収容ガイド部を有するものを挙げることができる。
【００１８】
特に発明に係る転写具は、斯かる旋回支持部を、転写テープを９０°旋回させ得るものとすることによって、いわゆる横引き式の転写具を好適に構成したものとしている。
【００１９】
そして本発明では、上述した旋回支持部によって、転写テープを所定角度旋回させたものとした場合、平行支持端を、転写テープを屈曲させた状態で支持し得るものとすれば、転写ヘッドを転写具本体に対して屈曲させる方向に適宜位相を異ならせて構成することができる。そのため、転写具本体に対して所望の位置に転写端を配することが可能である。
【００２０】
そして本発明に係る転写具は、転写テープを、テープの表面側に修正剤を設けた修正テープとすることにより、修正剤を簡便かつ正確に転写することにより、印刷或いは筆記した文字等の修正を好適に行い得る転写具を構成することができる。
【発明の効果】
【００２１】
本発明によれば、平行支持端から転写端に至るまで、転写テープを旋回させずに平面状に延伸させた状態で案内することができる。そうすることにより、転写時における使用者の手指或いは手首の動作により転写テープに対して幅方向の不要な作用力が働いた場合においても、平面状に延伸された転写テープは幅方向、すなわち幅方向に直交する方向に作用力を受ける事ができる。そのため、転写テープが折れ曲がるなどによって転写物の一部または全部を転写する事ができないという不具合を有効に排除し、簡便且つ正確な転写を実現し得るものとなる。すなわち本発明によって、簡単且つ正確、確実に転写物を転写し得る転写具を提供することが可能となる。
【発明を実施するための最良の形態】
【００２２】
＜第一実施形態＞
以下、本発明の第一実施形態について図面を参照して説明する。
【００２３】
本実施形態に係る転写具Ａを図１乃至図６に示す。この転写具Ａは、例えば紙などの転写対象物Ｐへ、テープｔの表面側に修正剤ｓを転写する、転写テープである修正テープＴを転写具本体１内に収容・保持しているものである。
【００２４】
またこの転写具Ａは図２、図５等に示すように、転写具本体１の厚み方向に対して修正剤ｓが平行に引き出される、いわゆる横引き式のものとなっている。すなわち、転写具本体１を、転写ヘッド４に至るまでの修正テープＴを所定角度である９０°旋回保持、すなわち旋回させた状態で保持し得る旋回支持部１０を構成するものとしている。
【００２５】
ここで、本実施形態に係る転写具Ａは、このような転写具本体１と転写ヘッド４とを有しているものであるが、特に、転写端４０ａを構成するヘッド本体４０とともに、転写端４０ａの幅方向に平行して延伸して、転写端４０ａに修正テープＴを案内し得る平行支持端４４とを少なくとも具備していることを特徴とするものである。
【００２６】
以下、転写具Ａの具体的な構成について詳述する。
【００２７】
転写具本体１は、半割構造をなす支持筐体３１と、カバー筐体３２とを有し、これら支持筐体３１とカバー筐体３２との間に転写ヘッド４を挟み込むとともに、転写物たる修正剤ｓを塗布した状態となっている修正テープＴ、並びに修正剤ｓを転写した後のテープｔをそれぞれ保持している巻回軸部２を有している。そして当該巻回軸部２と転写ヘッド４とによって、転写具本体１内で修正テープを９０°旋回させる旋回支持部１０を構成している。
【００２８】
巻回軸部２は、図２における破線、並びに図３等に示すように、修正剤を転写した後のテープを巻回収容し得るテープ収容部たる巻取軸部２１と、修正テープを巻回保持している巻出軸部２４と、これら巻取軸部２１の回転と巻出軸部２４の回転とを連動させるためのベルト２７とを有しているものである。巻取軸部２１は、支持筐体３１に回転可能に支持された巻取コア２３と、巻取コア２３に取り付け且つベルト２７を掛け回した巻取プーリ２２とを有している。ここで、本実施形態では、これら巻取コア２３、巻取プーリ２２とともに回転する巻回した状態にあるテープｔをも含んで、軸芯周りに回転する部分全体を巻取軸部２１と称している。巻出軸部２４は、支持筐体３１に支持された巻出コア２６と、巻出コア２６に取り付けられ且つベルト２７を掛け回した巻出プーリ２５とを主に有している。ここで上述の巻取軸部２１と同じく、本実施形態ではこれら巻出コア２６及び巻出プーリ２５とともに回転する修正テープＴをも含んで、軸芯周りに回転する部分全体を巻出軸部２４と称している。そしてベルト２７は、具体的には巻出プーリ２５及び巻取プーリ２２に架け渡すことによって、巻出軸部２４の回転と、巻取軸部２１の回転とを連動させているものであるが、回転を連動させる手段としては、当該ベルト２７に限られることはなく、他にギアを用いる態様など、既存の種々の構成を採用することができる。
【００２９】
転写ヘッド４は、図３、図４、図５及び図６に示すように、ヘッド本体４０とガイド壁４１とに加えて、収容ガイド部４３を主に有している。ヘッド本体４０は、転写具本体１に収容されたテープｔを表出させ先端側に設けた転写端４０ａにおいて修正剤ｓを転写対象物である紙Ｐに転写するものである。そしてヘッド本体４０の両側縁には、基端から先端付近にかけてガイド壁４１を起立させている。ガイド壁４１は、転写端４０ａを構成すると当該ヘッド本体４０から垂直に起立し転写具本体１から転写端４０ａに至るまでの修正テープＴの幅方向の移動を規制しているものである。斯かるガイド壁４１の具体的に説明すると、転写具本体１から転写端４０ａに至るまで起立寸法を漸次低く形成したものとなっている。収容ガイド部４３は、特に図３に示すように、ヘッド本体４０において、ガイド壁４１の裏面側に配置されている。具体的に説明すると、転写端４０ａから転写具本体１に至るまでの修正テープＴの幅方向の移動を規制するためのものである。斯かる収容ガイド部４３により、幅方向に修正テープＴが移動した場合であっても、転写後のテープｔが正確に転写具本体１側へ案内され得るものとなっている。
【００３０】
しかして本実施形態に係る転写具Ａは上述の通り、転写ヘッド４が転写端４０ａの幅方向に平行して延伸して、転写端４０ａに至る前の修正テープＴを支持して転写端４０ａへ案内する平行支持端４４とを少なくとも具備していることを特徴とするものである。
【００３１】
平行支持端４４は、図３、図４、図５及び図６に示すように、本実施形態では転写ヘッド４における転写端４０ａの反対側、すなわち基端側においてヘッド本体４０から突出させて一体に形成したものである。そして、平行支持端４４は、修正テープＴを裏面側から支持する先端部分によって形成される仮想の平行支持線βを、転写端４０ａの幅方向を示す仮想の線γに対して互いに平行を成すように構成したものである。係る平行支持端４４を採用することによって、図６に模式的に示すように、平行支持端４４から転写端４０ａまで修正テープＴが旋回することのない水平な平面である引き出し平面Ｆを構成している。また、この平行支持端４４は、特に図５に示すように、修正テープＴを屈曲させた状態で支持し、転写端４０ａへ導いているものとなっている。つまり、本実施形態に係る転写具Ａは、平行支持端４４の位置で適宜修正テープＴを折り返すことにより、転写具本体１の厚み方向略中央に転写ヘッド４を位置付けて、転写具Ａ全体の厚み寸法の削減を実現している。このように転写ヘッド４を配置する事により、本実施形態では上述の巻回軸部２の幅方向中央と、転写端４０ａとは転写具Ａの厚み方向において位相を異ならせた構成となっている。なお本実施形態において斯かる平行支持端４４を転写ヘッド４に設けたものとしたが、斯かる平行支持端４４は転写ヘッド４に設けた態様にのみ限られたものではなく、転写具本体１側に設けたものであっても、転写具本体１並びに転写ヘッド４とは別体の構成要素として設けたものであってもよい。
【００３２】
そして、斯かる引き出し平面Ｆによって、転写具Ａの使用時に修正テープＴに幅方向の力が働いてヘッド本体４０に対して幅方向にスライド移動をした場合においても、ガイド壁４１からの作用力はに対して引き出し平面Ｆの面方向に矢印αで示すような直線的なものとして働くこととなる。そのため、修正テープＴにはこのような作用力が当該修正テープＴを幅方向から真っ直ぐに圧縮する方向の力が働くこととなる。そのため、修正テープＴの表面が撓んだり幅方向に折れ曲がることによりテープの延伸方向に沿って皺が出来てしまったりという事態が起こり難く、正確な修正剤の転写を実現し得るものとなっている。
【００３３】
以上のような構成とすることにより、本実施形態に係る転写具Ａは、転写端４０ａの幅方向に平行して延伸し転写端４０ａに至る前の修正テープＴを支持し転写端４０ａへ案内する平行支持端４４を有する転写ヘッド４とを少なくとも具備しているこので、平行支持端４４から転写端４０ａに至るまで、修正テープＴを旋回させずに平面状に延伸させた状態で案内することができる。そうすることにより、転写時における使用者の手指或いは手首の動作により修正テープＴに対して幅方向の不要な作用力が働いた場合においても、平面状に延伸された修正テープＴは幅方向、すなわち厚み方向に直交する方向に作用力を受けることができる。そのため、修正テープＴが折れ曲がるなどによって修正剤ｓの一部または全部を転写する事ができないという不具合を有効に排除し、簡便且つ正確な転写を実現し得るものとなる。
【００３４】
手指或いは手首の動作による修正テープＴの軽微な幅方向の移動を好適に抑制するためには、転写ヘッド４を、平行支持端４４から転写端４０ａに至るまでの修正テープＴの幅方向の移動を規制し得るガイド壁４１をさらに有するものとしている。
【００３５】
他方、転写端４０ａを通過したテープｔを再び転写具本体１へ正確に収容するために本実施形態では、転写ヘッド４に、転写端４０ａから転写具本体１に至るまでの修正テープＴの幅方向の移動を規制し得る収容ガイド部４３を設けている。
【００３６】
特に図５に示すように、修正テープＴを屈曲させた状態で支持し、転写端４０ａへ導いているものとなっている。つまり、本実施形態に係る転写具Ａは、平行支持端４４の位置で適宜修正テープＴを折り返す事により、転写具本体１の厚み方向略中央に、転写端４０ａを配置して、転写具Ａ全体の厚み寸法の削減を実現している。勿論、修正テープＴを折り返す角度を別途設定し直す事により、例えば転写具Ａの厚み方向における所望の位置に転写端４０ａを配置することが可能である。
＜第二実施形態＞
続いて、本発明の第二実施形態について図７乃至図９に示して詳述する。なお、本実施形態において上記第一実施形態と同様の構成要素については同じ符合を付して詳細な説明を省略するものとする。
【００３７】
この第二実施形態に係る転写具Ａは、上記実施形態と同様に平行支持端４４を具備することを特徴とするものである。さらに、上述の転写具本体１と、ヘッド本体４０、ガイド壁４１、収容ガイド部４３を具備している転写ヘッド４をも有するものである。
【００３８】
しかして当該第二実施形態に係る転写具Ａは、ヘッド本体４０並びにガイド壁４１に連続し修正テープＴを当該ガイド壁４１を越えて幅方向に案内し得る傾斜案内面４２をさらに有するものである。
【００３９】
傾斜案内面４２は、具体的には、傾斜案内面４２の幅寸法を、転写端４０ａに近接するに従って大きく設定したものとして、特に転写端４０ａに近接する位置において、転写テープがより移動し易い構成を実現している。さらに詳細には、傾斜案内面４２がヘッド本体４０から突出する起立寸法を、転写ヘッド４の幅方向両端へ向かって大きく設定している。言い換えれば、傾斜案内面４２は転写ヘッド４の幅方向両端に向かってヘッド本体４０から漸次大きく突出する形状をなしている。
【００４０】
しかして本実施形態に係る転写ヘッド４は上述の通り、ヘッド本体４０並びにガイド壁４１に連続しテープｔを当該ガイド壁４１を越えて幅方向に案内し得る傾斜案内面４２を有している。斯かる転写ヘッド４によって紙Ｐ等に実際に修正剤ｓを転写する態様を、図８において模式的に示す。
【００４１】
まず、図８（ａ）においては、通常の転写動作を示している。この場合、修正テープＴは両端の傾斜案内面４２の間を通過することにより、直線状かつ正常な帯状に転写されている。ここで、同図（ｂ）において、例えば手指の動きや手首のスナップ動作などにより修正剤ｓの転写中に転写具本体１の向きが一方向にゆがんだ場合を示す。このように、修正テープＴは転写ヘッド４における幅方向中央から若干寸法ずれて一方のガイド壁４１へ移動することとなるが、本実施形態では傾斜案内面４２の先端側から修正テープＴが徐々に乗り越えていく事によってガイド壁４１に修正テープＴの側端縁が衝突することを有効に回避している。そうすることにより、修正テープＴには皺はよじれが起こることなく、図示の通り正常すなわち帯状に正確に修正剤ｓを転写し得るものとなっている。勿論、同図（ｃ）において反対方向に転写具本体１の向きがゆがんだ場合であっても同様に、修正剤ｓを正確な帯状に転写し得るものとなっている。なお図示の態様では修正テープＴが傾斜案内面４２にのみ乗り上げた態様を図示しているが、当該傾斜案内面４２はガイド壁４１に連続しているので、修正テープＴはガイド壁４１を乗り越えることも可能である。そしてガイド壁４１を乗り越えたとしても同図に図示した態様と同様に修正剤ｓを正確な帯状に転写し得るものとなっている。
【００４２】
加えて本実施形態の変形例として、図９に示すように、傾斜案内面４２ｒとして、凹状に陥没させながら湾曲させた湾曲面としたものや、図示しないが凸状に隆起させながら湾曲させた湾曲面としたものとしても、図８と同様に、好適に修正テープＴを案内することが可能である。
【００４３】
以上のような構成とすることにより、本実施形態に係る転写具は、修正テープＴを収容する転写具本体１と、当該転写具本体１に収容されたテープｔを表出させ先端側において転写物を転写対象物に転写し得る転写端４０ａを構成するヘッド本体４０と当該ヘッド本体４０から垂直に起立し転写具本体１から転写端４０ａに至るまでの修正テープＴの幅方向の移動を規制し得るガイド壁４１、及びヘッド本体４０並びにガイド壁４１に連続しテープｔを当該ガイド壁４１を越えて幅方向に案内し得る傾斜案内面４２を有する転写ヘッド４とを少なくとも具備ものである。
【００４４】
また上記実施形態と同様に本実施形態においても、平行支持端４４によって、図７に模式的に示すように、平行支持端４４から転写端４０ａまで修正テープＴが旋回することのない水平な平面である引き出し平面Ｆを構成したものとなっている。
【００４５】
斯かる構成により、使用者が転写する動作を行う際のずれや曲りはガイド壁４１に引き出し平面Ｆを構成する転写テープＴの側端を当接させて、撓みや皺を回避しながら安定して転写具Ａの動きを誘導するとともに、転写具Ａの動作に一定以上のずれや曲りが生じた場合には転写テープＴを傾斜案内面４２へ一時的に案内することにより、修正剤ｓがずれた状態や不規則にゆがんだ形状に転写されたり、テープｔ自体に皺を生じた状態で転写したりといったことをさらに有効に回避している。
【００４６】
そして、修正テープＴの幅方向への移動をより好適に案内するために、本実施形態では、傾斜案内面４２の幅寸法を、転写端４０ａに近接するに従って大きく設定したり、ヘッド本体４０から起立する起立寸法を、転写ヘッド４の幅方向両端へ向かって大きく設定する構成を採用したりしている。
【００４７】
そして、ガイド壁４１を、転写具本体１から転写端４０ａに至るまで起立寸法を漸次低く形成しているものとすることにより、転写端４０ａに近接した位置において移動し易い構成として好適に修正テープＴを案内し得るともに、テープｔが幅方向へ大きくずれる場合においては転写ヘッド４の基端側においてテープｔを有効にガイドし得るものとなっている。
＜第三実施形態＞
続いて、本発明の第三実施形態について図１０乃至図１２に示して詳述する。なお、本実施形態において上記第一実施形態と同様の構成要素については同じ符合を付して詳細な説明を省略するものとする。
【００４８】
この第三実施形態に係る転写具Ａは、上記実施形態と同様に平行支持端４４を具備することを特徴とするものである。さらに、上述の転写具本体１と、ヘッド本体４０、ガイド壁４１、収容ガイド部４３を具備している転写ヘッド４をも有するものである。
【００４９】
そして本実施形態に係る転写具Ａは、図１０乃至図１２に示すように、上述の構成に加え、転写ヘッド４が、テープｔすなわち転写テープＴの裏面側からガイド壁４１に連続し、転写テープＴの幅方向の移動をガイド壁４１を越えて案内し得る助長面４２ａを有することを特徴とするものである。
【００５０】
具体的に説明すると、助長面４２ａは、転写ヘッド４の先端側になるにつれて、転写テープＴの裏面側を支持する寸法を、転写具本体１側から転写端４０ａ側に至るまで漸次大きく設定することにより、転写端４０ａ側を底辺とする平面視三角形状の迫出し縁４２ａ１を形成しているものである。
【００５１】
次に、本実施形態において修正剤ｓを転写する際の挙動について、図１１に示して説明する。
【００５２】
まず、図１１（ａ）においては、通常の転写動作を示している。この場合、修正テープＴは両端のガイド壁４１の間を通過することにより、直線状に転写されている。特に同図において、修正テープＴは助長面の迫出し縁４２ａ１を常に乗り越えている状態となっている。そして、同図（ｂ）において、例えば手指の動きや手首のスナップ動作などにより修正剤ｓの転写中に転写具本体１の向きが一方向にゆがんだ場合を示す。このように、修正テープＴは転写ヘッド４における幅方向中央から若干寸法ずれて一方のガイド壁４１の方向へ移動することとなるが、本実施形態では助長面の迫出し縁４２ａ１から修正テープＴが助長面全体に掛けて徐々に乗り越えていく事によってガイド壁４１を乗り越える事により、修正テープＴの側端縁がガイド壁４１に衝突することを有効に回避している。そうすることにより、修正テープＴには皺はよじれが起こることなく、図示の通り正常すなわち帯状に正確に修正剤ｓを転写し得るものとなっている。勿論、同図（ｃ）において反対方向に転写具本体１の向きがゆがんだ場合であっても同様に、修正剤ｓを正確な帯状に転写し得るものとなっている。なお図示の態様では修正テープＴが助長面の一部にのみ乗り上げた態様を図示しているが、ガイド壁４１の頂面である当該助長面に完全に乗り上げたとしても同図に図示した態様と同様に修正剤ｓを正確な帯状に転写し得るものとなっている。
【００５３】
以上のような構成とすることにより本発明の第三実施形態に係る転写具Ａは、上記第一実施形態と同様に、平行支持端４４によって、図１０に模式的に示すように、平行支持端４４から転写端４０ａまで修正テープＴが旋回することのない水平な平面である引き出し平面Ｆを構成したものとなっている。
【００５４】
加えて、助長面４２ａに係る構成により、使用者が転写する動作を行う際の軽微なずれや曲りはガイド壁４１に、引き出し平面Ｆを構成している修正テープＴの側端を当接させて安定して転写具Ａの動きを誘導するとともに、一定以上のずれや曲りが生じた場合には修正テープＴを助長面４２ａへ一時的に案内することにより、修正剤ｓがずれた形で転写されることや、修正テープＴ或いはテープｔ自体に皺を生じた状態で修正剤ｓを転写してしまう、といったことを有効に回避することができる。
【００５５】
また本実施形態では、助長面４２ａが転写テープＴの裏面側を支持する寸法を、転写具本体１側から転写端４０ａ側に至るまで漸次大きく設定するものとしている。具体的には、斯かる助長面４２ａを、転写テープＴの裏面側を支持し転写端４０ａ側を底辺とする平面視三角形状の迫出し縁４２ａ１を形成することにより、転写テープＴが助長面４２ａに好適に乗り上げ得る構成を実現している。
【００５６】
そして同実施形態の変形例として、図１１に示すように助長面４２ａｒとして凹状にへこませた湾曲面すなわちアール面としたり、凸状に隆起させながら湾曲させたものとしたりすることにより、よりスムーズに修正テープＴを案内し得る構成としてもよい。
＜第四実施形態＞
続いて、本発明の第四実施形態について図１３に示して詳述する。なお、本実施形態において上記第一実施形態と同様の構成要素については同じ符合を付して詳細な説明を省略するものとする。
【００５７】
この実施形態に係る転写具Ａは、上記実施形態と同様に平行支持端４４を具備することを特徴とするものである。さらに、上述の転写具本体１と、ヘッド本体４０、ガイド壁４１、収容ガイド部４３を具備している転写ヘッド４をも有するものである。
【００５８】
そして本実施形態に係る転写具Ａは、図１３に示すように、上述の構成に加え、当該ヘッド本体４０から起立し転写具本体１から転写端４０ａに至るまでの修正テープＴの幅方向の移動を規制し得るガイド壁４１を設けるとともにガイド壁４１の転写端４０ａ側に位置する先端縁４１ａから転写端４０ａに至るまで修正テープＴの幅方向の移動を許容するスライド許容領域４０ｂを設けたものである。そして、当該スライド許容領域４０ｂにより修正テープの幅方向の移動を許容するスライド許容寸法ｄ１を、ガイド壁４１が修正テープＴの幅方向の移動を規制する規制寸法ｄ２よりも大きく設定していることを特徴としている。
【００５９】
ガイド壁４１は、本実施形態では、ヘッド本体４０における基端側において、修正テープＴの幅方向への移動を規制するにあたり、本実施形態では、一対のガイド壁４１間の寸法は、実際の修正テープＴの幅寸法よりも、５％〜５０％大きく設定するものとしている。そして本実施形態では斯かるガイド壁４１が修正テープＴの延伸方向に沿って占める寸法を規制寸法ｄ２としている。
【００６０】
スライド許容領域４０ｂは、ガイド壁４１の先端縁４１ａから転写端４０ａにかけて設けられた修正テープＴを平面状となるように支持し得る領域である。そして本実施形態では斯かるスライド許容領域４０ｂが修正テープＴの延伸方向に沿って占める寸法をスライド許容寸法ｄ１としている。
【００６１】
ここで、上述のガイド壁４１によって決定される規制寸法ｄ２は、当該スライド許容寸法ｄ１の５０％〜１０％に設定しているものである。そして斯かるガイド壁４１とスライド許容領域４０ｂとを設けることにより、ガイド壁４１によって、当該修正テープＴの幅寸法の５％〜５０％スライド可能に設定しているので、スライド許容領域４０ｂにおいてはさらに大きな範囲で修正テープＴをスライド移動可能に構成することができる。このように構成することにより、例えば手指の動作による転写端４０ａにおける修正テープＴの幅方向の移動を有効に許容しつつガイド壁４１によって修正テープがある程度以上スライド移動することを有効に抑制することが可能である。
【００６２】
以上のような構成とすることにより、本実施形態に係る転写具Ａは、スライド許容寸法ｄ１を規制寸法ｄ２よりも大きく設定している。具体的には、規制寸法ｄ２をスライド許容寸法ｄ１の５０％〜１０％に設定している。斯かる構成により、スライド許容領域４０ｂにおける好適な修正テープＴの幅方向への移動を担保しつつ、好適にガイド壁４１によって一定寸法以上のずれやゆがみを禁止して、簡便且つ正確な修正テープＴの転写を担保することが可能である。
【００６３】
さらに、平行支持端４４に係る構成と相まって、使用者が転写する動作を行う際の軽微なずれや曲りはガイド壁４１に、引き出し平面Ｆを構成している修正テープＴの側端を当接させて安定して転写具Ａの動きを案内し得たものとなっている。
【００６４】
以上、本発明の実施形態について説明したが、各部の具体的な構成は、上述した実施形態のみに限定されるものではなく、本発明の趣旨を逸脱しない範囲で種々変形が可能である。
【００６５】
上記実施形態では転写具本体において転写テープを略９０°旋回させる、所謂横引き式の転写具を開示したが、本発明は斯かる横引き式の転写具に限定される事はなく、例えば、転写ヘッドを旋回させることによって、所謂縦引き式にも横引き式にもなり得る態様の転写具に適用しても良い。斯かる場合には、転写ヘッドの回転と平行支持端の回転とを等しく構成することが要件となる。
【００６６】
その他、各部の具体的構成についても上記実施形態に限られるものではなく、本発明の趣旨を逸脱しない範囲で種々変形が可能である。
【図面の簡単な説明】
【００６７】
【図１】本発明の第一実施形態に係る外観図。
【図２】同上。
【図３】同実施形態に係る構成説明図。
【図４】同実施形態に係る要部を示す外観図。
【図５】同実施形態に係る構成説明図。
【図６】同実施形態に係る要部説明図。
【図７】本発明の第二実施形態に係る要部説明図。
【図８】同実施形態に係る作用説明図。
【図９】同実施形態の変形例に係る要部説明図。
【図１０】本発明の第三実施形態に係る要部説明図。
【図１１】同実施形態に係る作用説明図。
【図１２】同実施形態の変形例に係る要部説明図。
【図１３】本発明の第四実施形態に係る要部説明図。
【図１４】本発明の背景技術に係る説明図。
【符号の説明】
【００６８】
１…転写具本体
１０…旋回支持部。
【００６９】
２１…テープ収容部（巻取軸部）
４…転写ヘッド
４０…ヘッド本体
４０ａ…転写端
４０ｂ…スライド許容領域
４１…ガイド壁
４１ａ…先端縁
４２、４２ｂ、４２ｒ、４２ｒ１…傾斜案内面
４２ａ、４２ａｒ、４２ａｒ１…助長面
４２ａ１…迫出し縁
４３…収容ガイド部
４４…平行支持端
Ａ…転写具。
【００７０】
ｄ１…スライド許容寸法
ｄ２…規制寸法
Ｐ…紙、転写対象物
ｓ…転写物（修正剤）
ｔ…テープ
Ｔ…転写テープ（修正テープ）
【図１】
2008162051.tif 000003
【図２】
2008162051.tif 000004
【図３】
2008162051.tif 000005
【図４】
2008162051.tif 000006
【図５】
2008162051.tif 000007
【図６】
2008162051.tif 000008
【図７】
2008162051.tif 000009
【図８】
2008162051.tif 000010
【図９】
2008162051.tif 000011
【図１０】
2008162051.tif 000012
【図１１】
2008162051.tif 000013
【図１２】
2008162051.tif 000014
【図１３】
2008162051.tif 000015
【図１４】
2008162051.tif 000016